【手続補正書】
【提出日】平成15年8月28日(2003.8.28)
【手続補正１】
【補正対象書類名】明細書
【補正対象項目名】特許請求の範囲
【補正方法】変更
【補正の内容】
【特許請求の範囲】
【請求項１】
下記式（Ｉ）
【化１】
2001139597.tif 000001
で表される化合物又はその塩。
【請求項２】
下記の理化学的性状を有する化合物又はその塩：
１）物質の性状：塩基性脂溶性粉末
２）分子式：Ｃ55Ｈ98Ｎ8Ｏ14
３）分子量：1094（ＦＡＢ−ＭＳ法）
４）高分解能ＦＡＢ−ＭＳ［Ｍ＋Ｈ］+（Ｃ55Ｈ99Ｎ8Ｏ14として）：
実測値：1095.7365
計算値：1095.7281
５）紫外線吸収スペクトル：末端吸収
６）赤外線吸収スペクトル（臭化カリウム錠剤中、ｃｍ-1）：
3434, 3335, 2962, 2937, 2875, 2806, 1750, 1684, 1641, 1509, 1469, 1412, 1371, 1314, 1294, 1271, 1204, 1156, 1128, 1074, 1020
７）旋光度：［α］D25−１２０°（ｃ  １．０、メタノール）
８）1Ｈ−核磁気共鳴スペクトル：（δ、ｐｐｍ）
重クロロホルム中、テトラメチルシランを内部標準として測定した核磁気共鳴スペクトル（５００  ＭＨｚ）は、次に示す通りである。
0.78(3H), 0.79(3H), 0.80(3H), 0.82(3H), 0.87(3H),0.88(1H), 0.92(3H), 0.93(3H), 0.94(3H), 0.96(3H), 0.97(3H), 0.98(3H), 1.01(3H), 1.02(3H), 1.03(3H), 1.06(3H), 1.21(1H), 1.41(3H), 1.41(1H), 1.48(1H), 1.48(1H), 1.49(1H), 1.52(3H), 1.55(1H), 1.65(1H), 1.66(1H), 1.70(2H), 1.73(1H), 1.81(1H), 1.87(1H), 2.28(1H), 2.31(1H), 2.37(1H), 2.48(3H), 2.89(3H), 2.94(3H), 2.96(1H), 3.29(3H), 3.56(1H), 4.06(1H), 4.14(1H), 4.77(1H), 4.78(1H), 4.84(1H), 4.91(1H), 4.96(1H), 5.21(1H), 5.25(1H), 5.53(1H), 6.39(1H), 7.83(1H), 7.94(1H), 8.28(1H)
９）13Ｃ−核磁気共鳴スペクトル：（δ、ｐｐｍ）
重クロロホルム中、テトラメチルシランを内部標準として測定した核磁気共鳴スペクトル（５００  ＭＨｚ）は、次に示す通りである。
10.9(q), 11.9(q), 15.0(q), 15.1(q), 16.0(q), 16.6(q), 17.4(q), 18.3(q), 18.6(q), 18.7(q), 19.1(q), 21.0(q), 21.4(q), 22.1(q), 23.1(q), 23.51(q), 23.54(q), 24.2(t), 24.6(d), 24.8(d), 25.4(d), 25.5(t), 27.7(d), 29.5(q), 29.8(d), 30.2(q), 36.1(q), 36.5(t), 37.7(t), 38.3(d), 38.4(d), 39.7(t), 40.9(q), 46.2(d), 51.8(d), 53.1(d), 54.7(d), 55.1(d), 63.9(d), 64.7(d), 68.1(d), 70.1(d), 73.4(d), 74.3(d), 77.1(d), 169.03(s), 169.04(s), 169.6(s), 169.8(s), 169.9(s), 170.3(s), 172.0(s), 173.4(s), 173.8(s), 174.0(s)
１０）高速液体クロマトグラフィー：
カラム  ：Ｓｈｏｄｅｘ  Ａｓａｈｉｐａｋ  Ｃ８Ｐ  ５０  ４Ｅ
（直径４．６ｍｍ×長さ２５０ｍｍ：昭和電工（株）製）
移動相  ：アセトニトリル：１０ｍＭ炭酸水素アンモニウム水＝１３：７
流    速：０．７ｍｌ／分
検出波長：λ２１０ｎｍ
保持時間：１０．２０分
１１）溶解性：ジメチルスルホキシド、メタノール、クロロホルムに可溶。
１２）アミノ酸分析：加水分解物としてスレオニン、アラニン、イソロイシンが認められた。
【請求項３】
下記式（ＩＩ）
【化２】
2001139597.tif 000002
で表される化合物。
【請求項４】
下記の理化学的性状を有する化合物：
１）物質の性状：中性脂溶性無色粉末
２）分子式：Ｃ57Ｈ100Ｎ8Ｏ15
３）分子量：1136（ＦＡＢ−ＭＳ法）
４）高分解能ＦＡＢ−ＭＳ［Ｍ＋Ｈ］+（Ｃ57Ｈ101Ｎ8Ｏ15として）：
実測値：1137.7410
計算値：1137.7387
５）紫外線吸収スペクトル：末端吸収
６）赤外線吸収スペクトル（臭化カリウム錠剤中、ｃｍ-1）：
3433, 3333, 2963, 2937, 2875, 1751, 1686, 1642, 1516, 1469, 1409, 1388, 1372, 1311, 1292, 1272, 1201, 1156, 1128, 1074, 1017
７）旋光度：［α］D25−１３１°（ｃ  １．０、メタノール）
８）1Ｈ−核磁気共鳴スペクトル：（δ、ｐｐｍ）
重クロロホルム中、テトラメチルシランを内部標準として測定した核磁気共鳴スペクトル（５００  ＭＨｚ）は、次に示す通りである。
0.78(3H), 0.79(3H), 0.80(3H), 0.83(3H), 0.87(1H), 0.87(3H), 0.90(3H), 0.92(3H), 0.93(3H), 0.95(3H), 0.95(3H), 0.98(3H), 0.98(3H), 1.01(3H), 1.01(3H), 1.03(1H), 1.05(3H), 1.28(3H), 1.37(1H), 1.40(1H), 1.46(1H), 1.47(1H), 1.49(1H), 1.51(3H), 1.64(1H), 1.65(1H), 1.66(1H), 1.86(1H), 1.72(1H), 1.78(1H), 2.12(3H), 2.13(1H), 2.26(1H), 2.31(1H), 2.37(1H), 2.88(3H), 2.93(3H), 2.97(3H), 3.28(3H), 3.56(1H), 4.03(1H), 4.15(1H), 4.73(1H), 4.78(1H), 4.82(1H), 4.83(1H), 4.91(1H), 4.97(1H), 5.15(1H), 5.28(1H), 5.50(1H), 6.37(1H), 6.87(1H), 7.86(1H), 8.29(1H)
９）13Ｃ−核磁気共鳴スペクトル：（δ、ｐｐｍ）
重クロロホルム中、テトラメチルシランを内部標準として測定した核磁気共鳴スペクトル（５００ＭＨｚ）は、次に示す通りである。
10.5(q), 10.9(q), 14.9(q), 15.1(q), 15.6(q), 16.6(q), 16.7(q), 18.3(q), 18.6(q), 18.7(q), 19.0(q), 20.8(q), 21.4(q), 22.0(q), 22.1(q), 23.1(q), 23.6(q), 23.6(q), 24.1(t), 24.6(t), 24.7(d), 24.8(d), 25.4(d), 27.7(d), 29.5(q), 29.8(d), 30.2(q), 31.6(d), 31.8(q), 36.1(t), 37.6(t), 38.4(d), 39.6(t), 40.9(q), 46.1(d), 51.8(d), 53.1(d), 54.7(d), 54.7(d), 61.2(d), 63.9(d), 64.6(d), 68.1(d), 73.1(d), 74.3(d), 77.0(d), 168.9(s), 168.9(s), 169.1(s), 169.9(s), 169.9(s), 170.3(s), 170.6(s), 171.7(s), 172.0(s), 173.3(s), 173.8(s)
１０）高速液体クロマトグラフィー：
カラム  ：Ｓｈｏｄｅｘ  Ａｓａｈｉｐａｋ  Ｃ８Ｐ  ５０  ４Ｅ
（直径４．６ｍｍ×長さ２５０ｍｍ：昭和電工（株）製）
移動層  ：アセトニトリル：１０ｍＭ炭酸水素アンモニウム水＝１３：７
流    速：０．７ｍｌ／分
検出波長：λ２１０ｎｍ
保持時間：９．０５分
１１）溶解性：ジメチルスルホキシド、メタノール、クロロホルムに可溶
１２）アミノ酸分析：加水分解物としてスレオニン、アラニン、イソロイシンが認められた。
【請求項５】
ホーマ（Ｐｈｏｍａ）属に属する、請求項１乃至４のいずれか一つに記載の化合物の生産菌を培養し、その培養物より請求項１乃至４のいずれか一つに記載の化合物を採取することを特徴とする、請求項１乃至４のいずれか一つに記載の化合物の製造方法。
【請求項６】
ホーマ（Ｐｈｏｍａ）属に属する、請求項１乃至４のいずれか一つに記載の化合物の生産菌がホーマ・エスピー（Ｐｈｏｍａ  ｓｐ．）  ＳＡＮＫ  １３８９９（ＦＥＲＭ  ＢＰ−６８５１）株である、請求項５に記載の製造方法。
【請求項７】
ホーマ・エスピー（Ｐｈｏｍａ  ｓｐ．）  ＳＡＮＫ  １３８９９（ＦＥＲＭ ＢＰ−６８５１）株。
【手続補正２】
【補正対象書類名】明細書
【補正対象項目名】０００５
【補正方法】変更
【補正の内容】
【０００５】
【課題を解決するための手段】
すなわち、本発明は、
（１）
下記式（Ｉ）